(57)【特許請求の範囲】
【請求項１】
ドラムから繰出されたワイヤを用いてドアガラスの昇降を行なうウインドレギュレータにおいて、
前記ドアガラスの昇降方向に沿って設けられたガイドと、
該ガイドに摺動可能に係合し、前記ドアガラスが取付けられたスライダベースと、
前記ガイドの上部に設けられたアッパガイド部材と、
前記ガイドの下部に設けられたロアガイド部材と、
前記ワイヤの中間部が巻回されたドラムと、
前記スライダベース上に配設され、前記スライダベースに対向する面が開放面となった箱体で、側面に開放面まで延出し、前記ワイヤが挿通する溝が形成され、前記アッパガイドに係合した前記ワイヤの一方の端部側が一方の側面の内壁面に係止され、前記ロアガイドに係合した前記ワイヤの他方の端部側が他方の側面の内壁面に係止される金属製のワイヤエンドケースと、
前記開放面が前記スライダベースの面と向かい合わせるように前記スライダベース上に配設された前記ワイヤエンドケースと前記スライダベースとを接合する機械的接合手段と、
を具備したことを特徴とするウインドレギュレータ。
【発明の詳細な説明】
【０００１】
【発明の属する技術分野】
本発明は、ドラムから繰出されたワイヤを用いてドアガラスの昇降を行なうウインドレギュレータに関する。
【０００２】
【従来の技術】
次に、図面を用いて従来例を説明する。図６は従来のウインドレギュレータの全体構成図、図７は図６におけるスライダベースの分解斜視図である。
【０００３】
先ず、図６を用いてウインドレギュレータの全体構成を説明する。図において、１はドアガラス、２はドアパネル内上部に取付けられたアッパベース、３はドアパネル内下部に取付けられたロアベースである。
【０００４】
アッパベース２にはアッパガイド部材としてのターンガイド４が、ロアベース３にはロアガイド部材としてのターンガイド５がそれぞれ回転可能に取付けられている。
【０００５】
６は上端部がアッパベース２に取付けられ、下端部がロアベース３に取付けられ、ドアガラス１の昇降方向に沿って設けられ、スライダベース７が摺動可能に係合したガイドである。
【０００６】
８はワイヤ９の中間部が巻き掛けられたドラムである。このドラム８は図示しない駆動モータ等によって回転駆動される。
ワイヤ９の一方の端部側はターンガイド４に係合し、スライダベース７上に設けられたワイヤエンドケース部７ｆに係止されている。また、ワイヤ９の他方の端部側はターンガイド５に係合し、後述のワイヤエンドケース部７ｆに係止されている。
【０００７】
次に、図７を用いて、スライドベース周りの詳細な説明を行なう。図において、７ａ，７ｂは金属製のスライダベース７上にアウトサート成形法によって形成され、ガイド６に摺動可能に係合する樹脂製のスライダ部である。また、スライダベース７には、ドアガラス１の取付け用の穴７ｃ，７ｄ，７ｅが開設されている。
【０００８】
更に、スライダベース７には、アウトサート成形法により、樹脂製のワイヤエンドケース部７ｆが形成されている。このワイヤエンドケース部７ｆは、上面が開放された箱体で、側面には、略Ｕ字形の溝７ｇ，７ｈが形成されている。
【０００９】
そして、ワイヤ９の両方の端部が溝７ｇ，７ｈに挿入されるとともに、ワイヤ９の両端部には、溝７ｇ，７ｈの幅より大きな径に設定され、ワイヤエンドケース部７ｆの内壁面に当接可能なスライドブッシュ１１，１２が固着され、抜け止めがなされている。
【００１０】
更に、本従来例のワイヤ９の両端部には、一端部がスライドブッシュ１１，１２に当接可能で、他端部がワイヤエンドケース部７ｆの内壁面に当接可能なスプリング１３，１４がワイヤ９を巻回するように設けられ、ワイヤ９のたるみを吸収している。
【００１１】
そして、ワイヤエンドケース部７ｆの開放上面は、スライダベース７上に開設された穴７ｉにかしめられるピン１５を用いて固着される蓋１６によって覆われている。
【００１２】
次に、上記構成の作動を説明する。ドラム８を回転すると、ワイヤ９の一方側はドラム８に巻き取られ、ワイヤ９の他方側はドラム８から繰出される。このワイヤ９の移動により、ワイヤ９が係止されるスライダベース７はガイド６に沿って移動し、ドアガラス１が昇降する。
【００１３】
【発明が解決しようとする課題】
しかし、上記構成のウインドレギュレータにおいては、ワイヤエンドケース部７ｆには、常時ワイヤ９の張力が作用し、それに加えて、ウインドレギュレータ作動時及び停止時毎に衝撃荷重が作用する。
【００１４】
このようなウインドレギュレータが高温多湿の環境下で使用されると、ワイヤエンドケース７ｆは樹脂であるので、特に、ワイヤ９が係合するワイヤエンドケース７ｆの溝７ｇ，７ｈの近傍にクラックが発生したり、破壊が生じやすい。
【００１５】
さらに、金属製のスライダベース７の熱膨張率と、このスライダベース７上にアウトサート成形法で形成された樹脂製のワイヤエンドケース部７ｆの熱膨張率とは大きく異なる。ウインドレギュレータは、温度差（例えば１００℃）が大きなドアパネル内に設けられているので、樹脂のワイヤエンドケース部７ｆに作用する熱応力により、ワイヤエンドケース部７ｆはクラック等の破壊が発生しやすい。
【００１６】
また、ワイヤエンドケース部７ｆは経年劣化する樹脂であるので、古くなればなるほど破壊は生じやすい。
本発明は、上記問題点に鑑みてなされたもので、その第１の目的は、ワイヤエンドケースの破壊が生じないウインドレギュレータを提供することにある。
【００１７】
また、本発明の第２の目的は、部品点数を削減できるウインドレギュレータを提供することにある。
更に、本発明の第３の目的は、部品の共通化が可能なウインドレギュレータを提供することにある。
【００１８】
【課題を解決するための手段】
上記課題を解決する本発明のレギュレータは、ドラムから繰出されたワイヤを用いてドアガラスの昇降を行なうウインドレギュレータにおいて、前記ドアガラスの昇降方向に沿って設けられたガイドと、該ガイドに摺動可能に係合し、前記ドアガラスが取付けられたスライダベースと、前記ガイドの上部に設けられたアッパガイド部材と、前記ガイドの下部に設けられたロアガイド部材と、前記ワイヤの中間部が巻回されたドラムと、前記スライダベース上に配設され、前記スライダベースに対向する面が開放面となった箱体で、側面に開放面まで延出し、前記ワイヤが挿通する溝が形成され、前記アッパガイドに係合した前記ワイヤの一方の端部側が一方の側面の内壁面に係止され、前記ロアガイドに係合した前記ワイヤの他方の端部側が他方の側面の内壁面に係止される金属製のワイヤエンドケースと、前記開放面が前記スライダベースの面と向かい合わせるように前記スライダベース上に配設された前記ワイヤエンドケースと前記スライダベースとを接合する機械的接合手段と、を具備したことを特徴とするウインドレギュレータである。
【００２０】
本発明のウインドレギュレータにおいて、ワイヤエンドケースを別部品としたことにより、他車種への転用が可能となり、ワイヤエンドケースの部品共通化ができる。
【００２１】
また、ワイヤエンドケースは、前記スライダベースに対向する面が開放された箱体であることにより、スライダベースは上面を有し、スライダベースに取付けることにより、ワイヤエンドケース内は密閉され、従来必要であった蓋が不要となり、部品点数の削減が行なえる。また、ワイヤエンドケースを金属としたことにより、ワイヤにより常時作用する引張り応力や、ウインドレギュレータ作動時及び停止時毎の衝撃荷重に対する耐性が向上する。ここで、前記ワイヤエンドケースの例としては、金属鋳造品あるいは金属板金加工品がある。
【００２２】
更に、ワイヤエンドケース，スライダベースのうち、どちらか一方に突起、他方に突起が係合する穴を設けたことにより、ワイヤエンドケースの位置決め及び回転止めがなされる。
【００２３】
また、前記ワイヤと前記ワイヤエンドケースとの係止構造の一例としては、前記ワイヤエンドケースに設けられ、前記ワイヤが挿入される穴と、前記ワイヤエンドケース内に摺動可能に設けられ、前記ワイヤが挿通する穴が設けられたスライドブッシュと、前記ワイヤエンドケースの穴，前記スライドブッシュの穴を挿通した前記ワイヤの端部に取付けられ、前記スライドブッシュの穴より大きな径に設定されたワイヤエンド部材と、一端部が前記ワイヤエンドケースの内壁面に当接し、他端部が前記スライドブッシュに当接し、前記スライドブッシュを介して前記ワイヤにテンションを付与するスプリングとからなるものがある。
【００２４】
このように、スプリングを用いて常時ワイヤにテンションを与えることにより、スムーズなガラスの昇降を行なうことができる。
ここで、前記ワイヤが挿通する貫通穴が形成され、前記ワイヤエンドケースの穴に嵌入可能な円筒部と、前記ワイヤエンドケースの内壁面側の穴の開口の周縁に当接可能なつば部とからなる樹脂製のスペーサを設けることが、ワイヤが金属製のワイヤエンドケースに摺接し、摩耗することを防止することができる。
【００２５】
更に、スペーサの貫通穴近傍の荷重集中を防止するために、前記スライドブッシュは、前記スペーサのつば部の外縁近傍に当接可能な形状であることが望ましい。
【００２６】
【発明の実施の形態】
次に図面を用いて本発明の実施の一形態を説明する。図１は本発明の実施の一形態の要部分解斜視図、図２は図１におけるワイヤエンドケースを説明する図で、（ａ）図は上面図、（ｂ）図は正面図、（ｃ）図は下面図、（ｄ）図は（ｂ）図の右側面図、（ｅ）図は（ｂ）図の左側面図である。
【００２７】
尚、本実施の形態と従来例を示す図６，図７との相違点は、スライダベース周りであり、その他の部分は同一なので、同一部分には同一符号を付し、それらの説明は省略する。
【００２８】
図１において、スライダベース２７には、従来例と同様に、ガイド６に摺動可能に係合する樹脂のスライダ部２７ａ，２７ｂがアウトサート成形法によってスライダベース２７上に形成されている。また、ドアガラス１の取付け用の穴２７ｃ，２７ｄ，２７ｅが開設されている。
【００２９】
３０はスライダベース２７上に機械的接合手段を用いて取付けられる金属製のワイヤエンドケースである。尚、本実施の形態では、このワイヤエンドケースは３０はアルミニウムダイキャスト製とした。
【００３０】
このワイヤエンドケース３０は、図２に示すように、スライダベース２７との対向面が開放面３０ａとなった箱体であり、一方の側面にはワイヤ９の一方の端部が挿入される穴３０ｂ、他方の側面には開放面３０ａまで延出し、ワイヤ９の他方の端部が係合するＵ字形の溝３０ｃがそれぞれ設けられている。
【００３１】
また、ワイヤエンドケース３０の下面には、スライダベース２７に設けられた長溝２７ｆに係合し、ワイヤエンドケース３０の位置決めと回転止めとを行なう直線状の突起３０ｄが形成されている。
【００３２】
ここで、ワイヤ９とワイヤエンドケース３０との係止構造を説明する。図１において、ワイヤ９の一方の端部は、ワイヤエンドケース３０の溝３０ｃに係合し、コイルスプリング３１及び溝３０ｃより外径が大きく設定され、ワイヤエンドケース３０の内壁面に当接可能なスライドブッシュ３２を挿通し、ワイヤエンド３３がかしめによって固着されている。
【００３３】
同様に、ワイヤ９の他方の端部は、ワイヤエンドケース３０の穴３０ｂを挿通し、コイルスプリング３４，穴３０ｂより外径が大きく設定され、ワイヤエンドケース３０の内壁面に当接可能なスライドブッシュ３５を挿通し、ワイヤエンド３６がかしめによって固着されている。
【００３４】
次に、ワイヤエンドケース３０とスライダベース２７とを接合する機械的接合手段について説明を行なう。
ワイヤエンドケース３０には、上面からスライダベース２７方向に向かって延出するめねじ穴３０ｆが形成されている。
【００３５】
一方、スライダベース２７上には、めねじ穴３０ｆに対向する穴２７ｇが開設され、ねじ４０がスライダベース２７の穴２７ｇを挿通し、ワイヤエンドケース３０のめねじ穴３０ｆに螺合することで、ワイヤエンドケース３０とスライダベース２７との接合がなされている。
【００３６】
上記構成によれば、次のような効果を得ることができる。
（１）  ワイヤエンドケース３０を金属製としたことにより、ワイヤ９により常時作用する引張り応力や、ウインドレギュレータ作動時及び停止時毎の衝撃荷重に対する耐性が向上する。
【００３７】
（２）  ワイヤエンドケース３０を金属製としたことにより、経年劣化もなくなる。
（３）  スライダベース２７とワイヤエンドケース３０とを機械的接合手段で接合したことにより、両者の間の熱膨張率の違いによる熱応力がワイヤエンドケースに発生せず、ワイヤエンドケース３０の熱応力による破壊がなくなる。
【００３８】
（４）  ワイヤエンドケース３０を別部品としたことにより、他車種への転用が可能となり、ワイヤエンドケース３０の部品共通化ができる。
（５）  ワイヤエンドケース３０はスライダベース２７に対向する面を開放面とし、上面を有しているので、ワイヤエンドケース３０をスライダベース２７に取付けることにより、ワイヤエンドケース３０内は密閉され、従来必要であった蓋が不要となり、部品点数の削減が行なえる。
【００３９】
（６）  ワイヤエンドケース３０に突起３０ｄを、スライダベース２７に突起３０ｄが係合する長溝２７ｆを設けたことにより、ワイヤエンドケース３０の位置決め及び回転止めを行なうことができる。よって、一本のねじ４０でワイヤエンドケース３０をスライダベース２７上に固定することができる。
【００４０】
尚、本発明は上記実施の形態に限定するものではない。上記実施の形態のワイヤエンドケース３０は、一方の端面に穴３０ｂ、他方の端面に溝３０ｃを形成したが、両方の端面に穴を設けるようにしてもよい。
【００４１】
また、ワイヤエンドケース３０に突起３０ｄを、スライダベース２７に突起３０ｄが係合する長溝２７ｆを形成したが、逆に、スライダベース２７上に突起を形成し、ワイヤエンドケース２７に長溝を形成するようにしてもよい。
【００４２】
更に、上記実施の形態のワイヤエンドケース３０には、直線状の突起３０ｄを形成したが、図３に示すようなワイヤエンドケース４０のような形状でもよい。
図３において、ワイヤエンドケース４０はスライダベース２７との対向面が開放面４０ａとなった箱体であり、一方の側面にはワイヤ９の一方の端部が挿入される穴４０ｂ、他方の側面には開放面４０ａまで延出し、ワイヤ９の他方の端部が係合するＵ字形の溝４０ｃがそれぞれ設けられている。
【００４３】
また、ワイヤエンドケース３０の下面には、スライダベース２７に設けられた断面形状が円形である２ヵ所の穴に係合し、ワイヤエンドケース３０の位置決めと回転止めとを行なう断面形状円形の二つの突起４０ｄが形成されている。
【００４４】
また、４０ｆはワイヤエンドケース４０をスライダベース２７に取付けるためのめねじ穴である。
このような構成においても、前述の実施の形態と同様な効果を得ることができる上に、突起４０ｄの加工が直線上の突起３０ｄより簡単となる。
【００４５】
更に、上記実施の形態のワイヤエンドケース３０，４０の開放面は、スライダベース２７に対向する面としたが、ワイヤエンドケース３０，４０の側面でもよい。
【００４６】
また、ワイヤ９とワイヤエンドケース３０との係止構造も上述の実施の形態に限定するものではない。図４はワイヤとワイヤエンドケースとの他の係止構造を説明する図である。
【００４７】
図４において、５０はワイヤ９が挿通する貫通穴５０ａが形成され、ワイヤエンドケース３０の穴３０ｂ（溝３０ｃ）に嵌入可能な円筒部５０ｂと、ワイヤエンドケース３０の内壁面側の穴３０ｂ（溝３０ｃ）の開口の周縁に当接可能なつば部５０ｃとからなる樹脂製のスペーサである。
【００４８】
このような構成のスペーサ５０をワイヤエンドケース３０の穴３０ｂ（溝３０ｃ）に設けることにより、金属製のワイヤ９が金属製のワイヤエンドケース３０の穴３０ｂ（溝３０ｃ）に摺接し、摩耗，損傷することを防止することができる。
【００４９】
また、スライドブッシュ３２，３５がワイヤエンドケース３０の内壁面に当接し、異音が発生するのを防止することができる。
更に、このスペーサ５０の組付けは、ワイヤエンドケース３０の穴３０ｂ（溝３０ｃ）に挿入せずに組み付けても、ウインドレギュレータを作動させることにより、スプリング３１，３４の付勢力でもって、自然にワイヤエンドケース３０の穴３０ｂ（溝３０ｃ）に挿入するので、組付けも楽である。
【００５０】
また、上記構成のスライドブッシュ３２，３５は略円錐状であるので、スライドブッシュ３２，３５はスペーサ５０の貫通穴５０ａの周縁近傍を押接し、スペーサ５０を破壊する恐れがある。よって、図５に示すように、スライドブッシュ６０，６１の形状を、スペーサ５０のつば部５０ｃの外縁近傍に当接可能な形状とすることにより、スペーサ５０の貫通穴５０ａ近傍に荷重集中がなくなり、スペーサ５０の破壊もなくなる。
【００５１】
【発明の効果】
以上述べたように、本発明のウインドレギュレータによれば、ワイヤエンドケースを金属としたことにより、ワイヤにより常時作用する引張り応力や、ウインドレギュレータ作動時及び停止時毎の衝撃荷重に対する耐性が向上する。
【００５２】
また、ワイヤエンドケースを金属製としたことにより、経年劣化もなくなる。
スライダベースとワイヤエンドケースとを機械的接合手段で接合したことにより、両者の間の熱膨張率の違いによる熱応力がワイヤエンドケースに発生せず、ワイヤエンドケースの熱応力による破壊がなくなる。
【００５３】
ワイヤエンドケースを別部品としたことにより、他車種への転用が可能となり、ワイヤエンドケースの部品共通化ができる。
ワイヤエンドケースはスライダベースに対向する面を開放面とし、上面を有しているので、ワイヤエンドケースをスライダベースに取付けることにより、ワイヤエンドケース内は密閉され、従来必要であった蓋が不要となり、部品点数の削減が行なえる。
【００５４】
また、ワイヤエンドケース，スライダベースのうち、どちらか一方に突起、他方に突起が係合する穴を設けたことにより、ワイヤエンドケースの位置決め及び回転止めがなされる。
【００５５】
更に、前記ワイヤが挿通する貫通穴が形成され、前記ワイヤエンドケースの穴に嵌入可能な円筒部と、前記ワイヤエンドケースの内壁面側の穴の開口の周縁に当接可能なつば部とからなる樹脂製のスペーサを設けることにより、ワイヤが金属製のワイヤエンドケースに摺接し、摩耗することを防止することができる。
【００５６】
更に、前記スライドブッシュは、前記スペーサのつば部の外縁近傍に当接可能な形状とすることで、スペーサの貫通穴近傍の荷重集中を防止することができる。
【図面の簡単な説明】
【図１】本発明の実施の一形態の要部分解斜視図である。
【図２】図１におけるワイヤエンドケースを説明する図で、（ａ）図は上面図、（ｂ）図は正面図、（ｃ）図は下面図、（ｄ）図は（ｂ）図の右側面図、（ｅ）図は（ｂ）図の左側面図である。
【図３】本発明の他の実施の形態のワイヤエンドケースを説明する図で、（ａ）図は上面図、（ｂ）図は正面図、（ｃ）図は下面図、（ｄ）図は（ｂ）図の右側面図、（ｅ）図は（ｂ）図の左側面図、（ｆ）図は（ｂ）図のＡ−Ａ断面図である。
【図４】本発明の他の実施の形態におけるワイヤエンドケースとワイヤとの係止構造を説明する図である。
【図５】本発明の他の実施の形態におけるワイヤエンドケースとワイヤとの係止構造を説明する図である。
【図６】従来のウインドレギュレータの全体構成図である。
【図７】図６におけるスライダベースの分解斜視図である。
【符号の説明】
６  ガイド
９  ワイヤ
２７  スライダベース
３０  ワイヤエンドケース
３０ｆ  めねじ穴
４０  ねじ
【図１】
0003604196.tif 000002
【図２】
0003604196.tif 000003
【図３】
0003604196.tif 000004
【図４】
0003604196.tif 000005
【図５】
0003604196.tif 000006
【図６】
0003604196.tif 000007
【図７】
0003604196.tif 000008